(57)【要約】【課題】簡易な構造で擬似的な空を再現することができる照明装置を提供する。【解決手段】照明装置１は、光源と、光を反射する反射板４と、反射板４と対面するように設けられ、透光性を有する拡散板５とを備える。また、拡散板５と反射板４との間隔は、下方から上方に向かうにつれて次第に狭まる。そして、光源は、一方に設けられ、拡散板５及び反射板４に向かって照射する姿勢で配置される。【選択図】図２
2018010755.tif 000002
【特許請求の範囲】
【請求項１】
光源と、
光を反射する反射板と、
前記反射板と対面するように設けられ、透光性を有する拡散板とを備え、
前記拡散板と前記反射板との間隔は、一方から他方に向かうにつれて次第に狭まり、
前記光源は、前記一方に設けられ、前記拡散板及び前記反射板に向かって照射する姿勢で配置される
照明装置。
【請求項２】
前記光源は、複数の互いに異なる発光色を有する
請求項１記載の照明装置。
【請求項３】
前記光源は、白色光を出射する白色光源と、青色光を出射する青色光源とを有する
請求項２記載の照明装置。
【請求項４】
前記光源は、さらに、橙色光を出射する橙色光源を有する
請求項１〜３のいずれか１項に記載の照明装置。
【請求項５】
さらに、前記拡散板から出射した光が通過する開口部が形成された板状の枠体部を備え、
前記枠体部は、前記開口部と対面視で前記拡散板の外周を覆うように設けられる
請求項１〜４のいずれか１項に記載の照明装置。
【請求項６】
前記枠体部の内側は、光の反射を抑制する黒色である
請求項５記載の照明装置。
【請求項７】
前記開口部の内周面は、光の反射を抑制する黒色である
請求項５又は６記載の照明装置。
【請求項８】
さらに、前記枠体部の前記開口部を覆うように設けられる透光板を備え、
前記拡散板の開口部側の面には、光の反射を防止する反射防止膜が被覆され、
前記透光板における前記拡散板側の面には、光の反射を防止する反射防止膜が被覆される
請求項５又は６記載の照明装置。
【請求項９】
さらに、前記拡散板及び前記反射板の前記他方で、光が出射する前記拡散板の表面よりも出射方向側に設けられる庇部を備え、
前記庇部の前記光源側は、光の反射を抑制する黒色である
請求項１〜７のいずれか１項に記載の照明装置。
【請求項１０】
前記反射板は、前記光源の光軸と略平行となるように設けられる
請求項１〜９のいずれか１項に記載の照明装置。
【請求項１１】
前記拡散板は、
平板状をなし、
前記反射板に対して所定の角度で傾いた状態で設けられ、
前記所定の角度は、２°以上１０°以下である
請求項１〜１０のいずれか１項に記載の照明装置。
【請求項１２】
前記反射板で反射したすべての光のうち、拡散反射した光の割合が５０％以下である
請求項１〜１１のいずれか１項に記載の照明装置。
【請求項１３】
前記反射板は、入射した光を反射する鏡である
請求項１〜１２のいずれか１項に記載の照明装置。
【請求項１４】
前記反射板は、波長が６１０ｎｍ以上７５０ｎｍ以下の波長の光を吸収し、波長が４３５ｎｍ以上４９５ｎｍ以下の波長の光を反射させるような波長選択特性を有する
請求項１〜１３のいずれか１項に記載の照明装置。
【請求項１５】
前記拡散板は、入射した光をレイリー散乱させるレイリー拡散板である
請求項１〜１４のいずれか１項に記載の照明装置。
【発明の詳細な説明】
【技術分野】
【０００１】
本発明は、照明装置に関し、自然の空を模した光を放射し、かつ発光面が遠方の空を見るような奥行き感を演出することができる照明装置に関する。
【背景技術】
【０００２】
従来、白色光（光の一例）を発光する光源と、光を反射する反射シート（反射板の一例）と、導光板（拡散板の一例）とを備えた面状照明装置（照明装置の一例）が開示されている（例えば特許文献１参照）。
【０００３】
この面状照明装置では、導光板に生じる色むらを抑制し、出射する光の色調を均一にすることができる。
【先行技術文献】
【特許文献】
【０００４】
【特許文献１】特開２０１６−１２５４０号公報
【発明の概要】
【発明が解決しようとする課題】
【０００５】
しかしながら、この照明装置を壁や天井などの設備に設けたとしても、色温度や輝度が均一であるため、この照明装置では青空を再現し難い。また、青空を再現するために、ＴＶ等のディスプレイを設備に設けることが考えられる。しかし、ディスプレイ等の映像表示装置は、映像素子の粒度感などにより発光部表面の位置を物理的に正確に認知されやすく、自然の空と認知されることは難しい。
【０００６】
そこで、本発明は、簡易な構造で擬似的な空を再現することができる照明装置を提供することを目的とする。
【課題を解決するための手段】
【０００７】
上記目的を達成するため、本発明の一態様に係る照明装置は、光源と、光を反射する反射板と、前記反射板と対面するように設けられ、透光性を有する拡散板とを備え、前記拡散板と前記反射板との間隔は、一方から他方に向かうにつれて次第に狭まり、前記光源は、前記一方に設けられ、前記拡散板及び前記反射板に向かって照射する姿勢で配置される。
【発明の効果】
【０００８】
本発明によれば、簡易な構造で擬似的な空を再現することができる。
【図面の簡単な説明】
【０００９】
【図１】実施の形態１に係る照明装置を示す斜視図である。
【図２】図１のＩＩ−ＩＩ線における実施の形態１に係る照明装置を示す断面図である。
【図３】実施の形態１に係る照明装置を示すブロック図である。
【図４】実施の形態１に係る照明装置を使用した状態を示すイメージ図である。
【図５】図１のＩＩ−ＩＩ線における実施の形態２に係る照明装置を示す断面図である。
【図６】実施の形態２に係る照明装置を示すブロック図である。
【図７】図１のＩＩ−ＩＩ線における変形例に係る照明装置を示す部分断面図である。
【発明を実施するための形態】
【００１０】
（本発明の基礎となった知見）
室内から窓を通して青空を見た場合、窓の向こうに無限の奥行きを感じる。また、青空は、均一ではなく、色温度や輝度がグラデーション状に連続的に変化する。さらに、窓から差し込む光は、一日の時間の経過とともに色温度が変わるとともに、天候によっても変化する。このため、照明装置を用いた採光環境を提供する場合においては、より自然に近い採光環境を如何にして提供するかが重要な課題となる。
【００１１】
通常の照明装置を用いて自然に近い採光環境を整えようとしても、照明装置から輝度ムラや色ムラ等が抑制された均一な光が出射され、また、実際の空を見ているような奥行きを感じ難いため、通常の照明装置を天井、壁等に設置したとしても閉塞感を覚える。
【００１２】
建築上の観点から、自然の光を取り入れ難い施設内等において、自然に近い採光環境を整えることで、使用者に開放感を与えたり、開放感により使用者をリラックスさせたりしたい。また、明るい光が差し込めば、見栄えも良くなるため、このような施設内に積極的に光を取り入れたい。
【００１３】
そこで、青空を再現するために、ＴＶ等のディスプレイを施設内の設備に設けることも考えられる。しかし、ディスプレイ等では、映像表示面の物理的位置が正確に認知されやすいことや、窓から差し込む光を再現することが困難であることから、実際の窓のように感じにくい。さらに、重量の制限により、壁や天井などの設備に設置し難く、設置する際に掛かる施工コストが増大することが考えられる。
【００１４】
このような観点から、通常は窓を設置することができないような場所でも、あたかも窓が存在しているかのような採光環境を提供したいという要望がある。つまり、窓から青空を見たような、自然な採光環境と無限の奥行きを感じるような照明装置を設置することで、明るくリラックスできるような開放感を演出したい。また、コストの観点からも、施工に掛かるコストの増大を抑制したいという要望もある。
【００１５】
そこで、簡易な構造で擬似的な空を再現することができる照明装置を提供することを目的とする。
【００１６】
以下、本発明の実施の形態について、図面を参照しながら説明する。以下に説明する実施の形態は、いずれも本発明の好ましい一具体例を示すものである。したがって、以下の実施の形態で示される数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１７】
また、「略＊＊」との記載は、「略同一」を例に挙げて説明すると、全く同一はもとより、実質的に同一と認められるものを含む意図である。
【００１８】
なお、各図は、模式図であり、必ずしも厳密に図示されたものではない。また、各図において、実質的に同一の構成に対しては同一の符号を付しており、重複する説明は省略又は簡略化する。
【００１９】
（実施の形態１）
以下、本発明の実施の形態１に係る照明装置について説明する。
【００２０】
［構成］
まず、本実施の形態に係る照明装置１の構成について図１を用いて説明する。
【００２１】
図１は、実施の形態１に係る照明装置１を示す斜視図である。図２は、図１のＩＩ−ＩＩ線における実施の形態１に係る照明装置１を示す断面図である。図３は、実施の形態１に係る照明装置１を示すブロック図である。
【００２２】
図１では、照明装置１において、照明装置１の透光板３５側を前方向と規定し、照明装置１の第１発光モジュール６側を下方向と規定し、前後、左右及び上下の各方向を表示する。そして、図２以降の各図に示す各方向は、全て図１に示す各方向に対応させて表示する。なお、図１では、上下方向、左右方向及び前後方向は、使用態様によって変化するため、これには限定されない。以降の図においても、同様である。
【００２３】
図１〜図３に示すように、照明装置１は、筐体３と、反射板４と、拡散板５と、第１発光モジュール６と、庇部７と、制御部８と、２つの電源部９１、９２とを備える。
【００２４】
筐体３は、前後方向に扁平な箱であり、反射板４と、拡散板５と、第１発光モジュール６と、制御部８と、２つの電源部９１、９２とを収容している。本実施の形態の筐体３は、正面視（前面視）で、左右に長尺な長方形状である。
【００２５】
筐体３は、本体部３１と、枠体部３２とを有する。
【００２６】
本体部３１は、前後方向に扁平な有底の箱であり、前方が全開している。本体部３１は、反射板４と、拡散板５と、第１発光モジュール６と、庇部７と、２つの電源部９１、９２とを収容している。
【００２７】
枠体部３２は、正面視で長方形状をなした平板状の部材であり、その中央部に長方形状の開口部３３が形成される。開口部３３は、枠体部３２の内側部分である。枠体部３２は、本体部３１の前方を塞ぐように、本体部３１の前方に設けられる。言い換えれば、枠体部３２は、開口部３３と対面視で拡散板５の外周を覆うように設けられる。枠体部３２の開口部３３には、開口部３３を覆う透光板３５が設けられる。
【００２８】
枠体部３２の後面は、光の反射を抑制する黒色である。本実施の形態では、枠体部３２は、光を吸収する黒色の光吸収シート３６（反射防止膜の一例）を有している。光吸収シート３６は、枠体部３２の後面に設けられ、拡散板５から出射した光が枠体部３２に反射することを抑制する。また、本実施の形態では、光吸収シート３６は、枠体部３２と本体部３１とが当接する部分を除いて、枠体部３２の後面に一様に設けられている。つまり、光吸収シート３６には、開口部３３と対応する開口部が形成されている。
【００２９】
なお、光吸収シート３６は、拡散板５に向かって反射を防止するために設けられているため、この機能を有するのであれば、黒色に限らない。
【００３０】
なお、枠体部３２は、窓から光が差し込んでいるかのような感覚を得るように、窓枠を模したデザインにしてもよい。
【００３１】
枠体部３２における開口部３３の内周面は、光の反射を抑制する黒色である。開口部３３の内周面における黒色の一例として、光の反射を防止する光吸収シート（反射防止膜の一例）が被覆されてもよい。この光吸収シートは、透光板３５と開口部３３との間に設けられてもよく、光吸収シート３６と同様の部材でもよい。
【００３２】
透光板３５は、透光性を有する平板状の部材であり、枠体部３２の開口部３３を覆うように、枠体部３２に固定されている。透光板３５は、アクリルやポリカーボネート等の透光性樹脂材料又は透明なガラス材料等の透光性を有する材料で形成される。
【００３３】
透光板３５の少なくとも一方の面には、光の反射を防止する反射防止膜や反射防止材が一様に被覆されている。この照明装置１では、反射防止膜や反射防止材を透光板３５の後面に被覆することで、光を反射し難くしている。
【００３４】
本実施の形態における反射防止材や反射防止膜は、例えば、コート膜として、ナノパターニングなどにより形成することができる。なお、反射防止材や反射防止膜は、これらのものに限定されることはない。また、複数種類の反射防止材や反射防止膜を用いてもよく、当該技術分野で知られている技術を用いて、反射防止材又は反射防止膜を形成してもよい。
【００３５】
反射板４は、正面視で長方形状の平板状の部材であり、入射した光を反射する鏡である。なお、反射板４は、入射した光を反射すればよく、黒色の板等でもよい。反射板４は、本体部３１の底部（後面）と略平行となり、鏡面である表面が前方を向くように、本体部３１に収容される。反射板４は、後述する白色光源６１及び青色光源６２から直接入射した光及びこれら光源から拡散板５に入射し散乱された光を反射する。
【００３６】
反射板４は、赤色光を吸収し、青色光を反射させるような波長選択特性を有する。反射板４の表面には、光を拡散反射する特性を有する光拡散反射シートを用いて実現する。ここでいう赤色光とは、波長が６１０ｎｍ以上７５０ｎｍ以下の波長の光であり、厳密な意味で赤色を意味しているのではなく、通常、赤色と見える光を意味している。また、ここでいう青色光とは、波長が４３５ｎｍ以上４９５ｎｍ以下の波長の光であり、厳密な意味で青色を意味しているのではなく、通常、青色と見える光を意味している。
【００３７】
反射板４は、入射した光のうち（反射したすべての光のうち）拡散反射する光の割合が５０％以下である。なお、反射板４には、正反射と散乱反射とを部分的に組み合わせて利用してもよい。なお、反射板４において、反射したすべての光のうち、拡散反射する光の割合は少ない方が好ましく、拡散反射する光の割合は０％でもよい。ここでいう拡散反射とは、反射板４にある入射角度で光が入射した場合に、入射した光を種々の方向に反射することであり、乱反射ともいう。また、ここでいう正反射とは、反射板４にある入射角度で光が入射した場合に、光の入射角度に依存する方向で、入射した光の角度と略等しい角度に反射することである。
【００３８】
なお、反射板４は、光の入射角度によらず、前方向（所望の方向）に向かって集中的に光が反射する特性を有していてもよい。例えば、反射板の前面の形状を凹凸状にする等により実現することができる。
【００３９】
反射板４は、例えば、ミラーコーティングや研磨による鏡面仕上げ、微細光学構造、異方性素材などにより実現する。また、反射板４は、例えば、樹脂、ゴム、金属等の部材にアルミや銀等の金属を蒸着して構成された鏡であってもよい。
【００４０】
拡散板５は、正面視で長方形状の部材であり、反射板４の前方側で反射板４と対面するように本体部３１に設けられている。また、拡散板５は、その面の少なくとも一部において反射板４に対して所定の角度θで傾いた状態で設けられている。拡散板５と反射板４との間隔は、下方（一方の一例）から上方（他方の一例）に向かうにつれて次第に狭まっている。ここで、所定の角度θは、２°以上１０°以下である。本実施の形態では、拡散板５と反射板４とで構成される所定の角度θを５°としている。
【００４１】
拡散板５は、光を拡散させるための光拡散機能を有している。拡散板５は、透光性のあるアクリル等の樹脂を基材としている。なお、拡散板５の一例として、入射した光がレイリー散乱を起こすレイリー拡散板を用いてもよい。レイリー拡散板は、透光性のあるアクリル等の樹脂を基材とし、内部にナノコンポジット材料を分散させた部材である。ナノコンポジット材料は、例えば、酸化チタン、酸化亜鉛、酸化ジルコニア等の酸化金属である。ナノコンポジット材料の粒子径が光の波長に比べ充分に小さい場合、拡散板５に入射した光は、レイリー散乱を起こす。
【００４２】
第１発光モジュール６は、複数の互いに異なる発光色を有する。具体的には、第１発光モジュール６は、複数の白色光源６１（光源の一例）及び複数の青色光源６２（光源の一例）と、複数の白色光源６１及び複数の青色光源６２が配置される配線基板６３とを有するモジュールである。第１発光モジュール６は、反射板４及び拡散板５の下側で、反射板４と拡散板５との間に設けられ、左右方向に長尺な板状をなしている。つまり、第１発光モジュール６は、光源の光軸Ｘが反射板４と拡散板５との間に挟まれる姿勢で配置される。なお、本実施の形態で光源という場合は、複数の白色光源６１及び複数の青色光源６２を示す。
【００４３】
複数の白色光源６１及び複数の青色光源６２は、いわゆるＳＭＤ（Ｓｕｒｆａｃｅ  Ｍｏｕｎｔ  Ｄｅｖｉｃｅ）型のＬＥＤ素子である。ＳＭＤ型のＬＥＤ素子とは、具体的には、樹脂成型されたキャビティの中にＬＥＤチップ（発光素子）が実装され、キャビティ内に蛍光体含有樹脂が封入されたパッケージ型のＬＥＤ素子である。複数の白色光源６１及び複数の青色光源６２は、照明装置１に設けられている制御部８により制御されて点灯、調光、及び消灯を行う。また、複数の白色光源６１及び複数の青色光源６２は、制御部８が２つの電源部９１、９２を個別に又は同時に制御して（電力の供給量を調節することで）調光制御及び調色制御が行われる。本実施の形態では、第１発光モジュール６は、調光制御（明るさの制御）および調色制御（発光色の制御）が可能であってもよい。
【００４４】
なお、複数の白色光源６１及び複数の青色光源６２は、このような構成に限定されるものではなく、配線基板６３上にＬＥＤチップが直接的に実装されたＣＯＢ（Ｃｈｉｐ  Ｏｎ  Ｂｏａｒｄ）型のモジュールが用いられてもよい。また、複数の白色光源６１及び複数の青色光源６２が有する発光素子は、ＬＥＤに限定されるものではなく、例えば、半導体レーザ等の半導体発光素子、または、有機ＥＬ（Ｅｌｅｃｔｒｏ  Ｌｕｍｉｎｅｓｃｅｎｃｅ）や無機ＥＬ等のＥＬ素子等その他の固体発光素子であってもよい。
【００４５】
複数の白色光源６１及び複数の青色光源６２の各々は、配線基板６３の長さ方向（左右方向）に沿って略等間隔に配列され、左右方向に一列で交互に並んでいてもよい。
【００４６】
複数の白色光源６１における各々の光軸Ｘ、及び複数の青色光源６２における各々の光軸Ｘは、反射板４と拡散板５との間に挟まれるように、上方に向いている。本実施の形態では、複数の白色光源６１における各々の光軸Ｘ上、及び複数の青色光源６２における各々の光軸Ｘ上には、拡散板５が存在している。また、本実施の形態では、複数の白色光源６１における各々の光軸Ｘ、及び複数の青色光源６２における各々の光軸Ｘは、反射板４と略平行である。
【００４７】
制御部８は、使用者からの指示（リモコン等を介した制御信号）に従って、第１発光モジュール６の点灯、消灯、調光（明るさの調整）、および調色（発光色（色温度）の調整）等の動作を制御する。制御部８は、第１発光モジュール６などを制御するための回路等から構成されている。制御部８は、入力された信号に応じて第１発光モジュール６に供給する電流値等を制御するマイクロコンピュータ、プロセッサなど、または専用回路によってこれらの動作を実現する。
【００４８】
２つの電源部９１、９２は、第１発光モジュール６を発光させるための電力を生成する電源回路によって構成されている。２つの電源部９１、９２は、例えば、電力系統から供給される電力を、整流、平滑及び降圧等して所定レベルの直流電力に変換し、当該直流電力を第１発光モジュール６に供給する。２つの電源部９１、９２は、制御線等の電力線によって電力系統と電気的に接続される。
【００４９】
一方の電源部９１は白色光源６１の各々に電力を供給し、他方の電源部９２は青色光源６２の各々に電力を供給する。２つの電源部９１、９２は、制御回路により制御されることで、第１発光モジュール６への電力供給をオン及びオフする。例えば、リモコン等の操作部を介して点灯の操作を受けた場合には、制御回路は、２つの電源部９１、９２から電力を第１発光モジュール６に供給し、第１発光モジュール６の白色光源６１及び青色光源６２を点灯させる。また、操作部が消灯の操作を受けた場合には、制御回路は、２つの電源部９１、９２からの第１発光モジュール６への電力の供給を遮断することで、第１発光モジュール６の白色光源６１及び青色光源６２を消灯する。
【００５０】
本体部３１の上部には、庇部７が取り付けられている。
【００５１】
庇部７は、拡散板５及び反射板４の上方で、光が出射する拡散板５の前面よりも前方（出射方向側）に設けられている。なお、庇部７の一部（後端側）は、拡散板５よりも後ろに位置していてもよい。本実施の形態では、庇部７は、光の反射を抑制する黒色の部材であり、本体部における上方の壁部に固定されている。
【００５２】
なお、庇部７は筐体３内に別途設けられているが、本体部３１の上部を庇部７としてもよい。この場合、本体部３１の上方における壁部の下面に、光を吸収する黒色としたり、枠体部３２と同様の光吸収シート３６を一様に設けたりしてもよい。
【００５３】
このような照明装置１では、例えば、白色光源６１及び青色光源６２から出射した光は、拡散板５の後面で一部が反射して反射板４に向かい、一部が拡散板５を透光して拡散板５の前面から出射する。波長選択特性を有する反射板４に入射した光は、異なる振る舞いをする。具体的には、赤色光等の低い色温度は反射板４に吸収され、青色光等の高い色温度は反射板４で拡散反射される。また、反射板４で拡散反射された青色光は、拡散板５の後面に入射し、一部が拡散板５を透光して拡散板５の前面から出射したり、一部が拡散板５の後面で反射してさらに、反射板４で拡散反射したりする。このように、反射と拡散とを繰り返して拡散板５から出射するため、拡散板５の下方（発光モジュール６に近い部分）では輝度の高い光が出射され、拡散板５の上方では輝度の低い光が出射される。言い換えれば、光源に近いほど拡散板５から明るい光が出射され、光源から離れるに従って拡散板５から暗い光が出射される。こうして、拡散板５からは、実際の空のような色と輝度の勾配を感じる光が出射される。
【００５４】
図４は、実施の形態１に係る照明装置を使用した状態を示すイメージ図である。
【００５５】
図４に示すように、照明装置１は、自然の採光を得難い施設内（場所）等に設置されている。照明装置１は、例えば、使用者の目線（水平方向）よりも上方に設けられてもよい。照明装置１は、目線から少し見上げる位置に配置され、窓を配置しない（できない）壁や天井等に設置してもよい。このように、照明装置１を配置することで、使用者は、あたかも窓から実際の青空を見ているかのように感じる。
【００５６】
［作用効果］
次に、本実施の形態における照明装置１の作用効果について説明する。
【００５７】
上述したように、本実施の形態に係る照明装置１は、光源と、光を反射する反射板４と、反射板４と対面するように設けられ、透光性を有する拡散板５とを備える。また、拡散板５と反射板４との間隔は、下方から上方に向かうにつれて次第に狭まる。そして、光源は、下方に設けられ、拡散板５及び反射板４に向かって照射する姿勢で配置される。
【００５８】
この構成によれば、拡散板５からは、光源に近いほど輝度の高い光が出射され、光源から離れるに従って輝度の低い光が出射される。つまり、拡散板５からは輝度の勾配のついた光が出射される。このため、照明装置１を見た場合に、透光板３５から実際の空のような輝度の勾配を感じる。
【００５９】
また、光源、反射板４及び拡散板５を用いることで、光が拡散と反射とを繰り返し、拡散板５から遠近感（奥行き）のある光を出射することができるため、構造が簡易である。
【００６０】
したがって、この照明装置１によれば、簡易な構造で擬似的な空を再現することができる。
【００６１】
この照明装置１を自然の採光を得難い施設内（場所）等に用いれば、自然に近い採光環境を実現することができる。
【００６２】
また、本実施の形態に係る照明装置１において、光源は、複数の互いに異なる発光色を有する。
【００６３】
この構成によれば、拡散板５は、光源から遠ざかるに従って、光の色温度や輝度が次第に変化するグラデーションのように見える。
【００６４】
また、本実施の形態に係る照明装置１において、光源は、白色光を出射する白色光源６１と、青色光を出射する青色光源６２とを有する。
【００６５】
この構成によれば、拡散板５は、光源から遠ざかるに従って、白色光から青色光に次第に変化するグラデーションのように見える。
【００６６】
また、本実施の形態に係る照明装置１は、さらに、拡散板５から出射した光が通過する開口部３３が形成された板状の枠体部３２を備える。枠体部３２は、開口部３３と対面視で拡散板５の外周を覆うように設けられる。
【００６７】
この構成によれば、枠体部３２が開口部３３と対面視で拡散板５の外周を覆うように設けられるため、本体部３１における、上下左右の壁部を、開口部３３を介して視認し難い。
【００６８】
特に、本実施の形態の様に、拡散板５が傾斜していても、照明装置１を正面視した場合において、開口部３３の透光板３５を介して本体部３１の左右側面を視認し難いため、拡散板５が傾斜していることが認識され難い。このため、拡散板５から奥行き感を損ね難い。
【００６９】
特に、本実施の形態の様に、白色光源６１及び青色光源６２のＬＥＤチップが複数並んでいる場合でも、輝度ムラ及び色ムラを視認し難い。このため、あたかも透光板３５を介して実際の空を見ているかのような開放感や感覚を与えることができる。
【００７０】
また、本実施の形態に係る照明装置１において、枠体部３２の内側は、光の反射を抑制する黒色である。
【００７１】
この構成によれば、枠体部３２の後面に入射した光は吸収される。このため、枠体部３２の後面で反射して拡散板５に入射した光がさらに反射し、透光板３５を介して出射し難い。このため、拡散板５には、枠体部３２が映り込み難い。このため、あたかも透光板３５を介して実際の空を見ているかのような開放感や感覚を損ね難い。
【００７２】
また、本実施の形態に係る照明装置１において、開口部３３の内周面は、光の反射を抑制する黒色である。
【００７３】
この構成においても、開口部３３の内周面に入射した光は吸収される。このため、開口部３３の内周面で反射して拡散板５に入射した光がさらに反射し、透光板３５を介して出射し難い。このため、拡散板５には、開口部３３の内周面が映り込み難い。このため、あたかも透光板３５を介して実際の空を見ているかのような開放感や感覚を損ね難い。
【００７４】
また、本実施の形態に係る照明装置１は、さらに、枠体部３２の開口部３３を覆うように設けられる透光板３５を備える。また、拡散板５の開口部３３側の面（前面）には、光の反射を防止する反射防止膜が被覆される。そして、透光板３５における拡散板５側の面（後面）には、光の反射を防止する反射防止膜が被覆される。
【００７５】
この構成によれば、透光板３５の後面に反射防止膜が被覆されているため、透光板３５の裏面に入射した光が反射されて拡散板５に向かい難い。また、拡散板５の前面に反射防止膜が被覆されているため、拡散板５の前面に入射した光が反射され、透光板３５を介して出射され難い。これらのことから、この照明装置１では、あたかも透光板３５を介して実際の空を見ているかのような開放感や感覚を与えることができる。
【００７６】
また、本実施の形態に係る照明装置１は、さらに、拡散板５及び反射板４の上方で、光が出射する拡散板５の表面よりも出射方向側に設けられる庇部７を備える。そして、庇部７の下側（光源側）は、光の反射を抑制する黒色である。
【００７７】
この構成によれば、透光板３５を介して庇部７が見え、庇部７の遥か遠くに、実際の空が広がっているように感じる（無限の奥行きを感じる）。また、庇部７の下側に入射した光は、庇部７に吸収されるため、庇部７で反射した光が拡散板５に映り込み難くなる。このため、透光板３５と拡散板５との距離感を演出することができる。その結果、あたかも透光板３５を介して実際の空を見ているかのような開放感や感覚を与えることができる。
【００７８】
また、本実施の形態に係る照明装置１において、反射板４は、光源の光軸Ｘと略平行となるように設けられる。
【００７９】
この構成によれば、照明装置１を正面視した場合又は照明装置１を下側から見た場合において、光源が反射板４に映り込み難い。このため、あたかも透光板３５を介して実際の空を見ているかのような開放感や感覚を与えることができる。
【００８０】
また、本実施の形態に係る照明装置１において、拡散板５は、平板状をなす。また、拡散板５は、反射板４に対して所定の角度θで傾いた状態で設けられる。そして、所定の角度θは、２°以上１０°以下である。
【００８１】
この構成によれば、所定の角度θは、２°以上１０°以下であるため、照明装置１における前後方向の厚みが大きくなり難い。また、所定の角度θが小さすぎれば、拡散板５を介して光源を視認し難く、所定の角度θが大きすぎれば、拡散板５と反射板４との間に光を入射させ難い。このため、拡散板５と反射板４とを適度な角度に設定することで、あたかも透光板３５を介して実際の空を見ているかのような開放感や感覚を与えることができる。
【００８２】
特に、所定の角度θが２°以上１０°以下であるため、照明装置１が大型化しても、照明装置１の厚みが大きく成り難い。このため、例えば、照明装置１では、壁に掛けたり、壁に埋め込む等の取付施工を行い易い。
【００８３】
特に、反射板４の下側から上側に向かうにつれて次第に光軸Ｘに近づく構成では、照明装置１以外の他の照明装置等が存在する場合、他の照明装置からの光が反射板４に映り込む恐れがある。しかし、反射板４を略鉛直となるように設け、拡散板５が反射板４に向かって所定の角度θで傾く構成とすれば、他の照明装置からの光が反射板４に映り込んだ場合にも、使用者に違和感を与える角度の映り込みになりにくい。
【００８４】
また、本実施の形態に係る照明装置１では、反射板４で反射したすべての光のうち、拡散反射した光の割合が５０％以下である。また、本実施の形態に係る照明装置１において、反射板４は、入射した光を反射する鏡である。
【００８５】
これらの構成では、入射した光のうち一部の光は正反射し、異なる一部の光は拡散され、残りの光は吸収される。このため、光源から遠ざかるに従って、拡散板５から出射する光の輝度が低下していく。このため、実際の空のような色と輝度の勾配を感じる（奥行き感を与える）ことができる。
【００８６】
なお、本実施形態の様に白色光源６１及び青色光源６２を用いれば、光源から遠ざかるに従って、白色光から青色光となるように、拡散板５から出射する光の色温度が次第に変化する。この場合でも、実際の空のような色と輝度の勾配を感じることができる。
【００８７】
また、本実施の形態に係る照明装置１において、反射板４は、波長が６１０ｎｍ以上７５０ｎｍ以下の波長の光を吸収し、波長が４３５ｎｍ以上４９５ｎｍ以下の波長の光を反射させるような波長選択特性を有してもよい。
【００８８】
この構成によれば、反射板４が白色光に含まれる赤色光を吸収することで、拡散板５から赤色光が出射されることを防止することができる。このため、より擬似的な青空を再現することができる。
【００８９】
なお、本実施の形態に係る照明装置１において、拡散板５は、入射した光をレイリー散乱させるレイリー拡散板であってもよい。
【００９０】
この構成によれば、白色光に含まれる赤色光は拡散板５で拡散されにくく、青色光は拡散板５で拡散されるため、拡散板５の前面からうっすらとした青色光が出射する。このため、レイリー拡散板を用いると、擬似的な青空を再現することができる。特に、この場合、青色光源６２を減らせるため、製造コストの低廉化を実現することができる。
【００９１】
（実施の形態２）
［構成］
実施の形態２に係る照明装置１００の構成について、図５及び図６を用いて説明する。
【００９２】
図５は、図１のＩＩ−ＩＩ線における実施の形態２に係る照明装置１００を示す断面図である。図６は、実施の形態２に係る照明装置１００を示すブロック図である。
【００９３】
実施の形態２では、さらに実施の形態１の構成に加え、橙色光源１１１と電源部１２０とが設けられている点で相違している。また、実施の形態２の照明装置１００は、実施の形態１の照明装置１００と同様であり、同一の構成については同一の符号を付して構成に関する詳細な説明を省略する。
【００９４】
図５及び図６に示すように、照明装置１００は、さらに、第２発光モジュール１１０を備えている。
【００９５】
第２発光モジュール１１０は、複数の橙色光源１１１と、複数の橙色光源１１１が配置される配線基板１１２とを有するモジュールであり、筐体３に収容される。第２発光モジュール１１０は、拡散板５の下方に設けられ、本体部３１と拡散板５との間に設けられ、左右方向に長尺な板状をなしている。第２発光モジュール１１０は、発光する波長成分が異なるだけであり、第１発光モジュール６と同様のモジュールであってもよい。なお、本実施の形態で光源という場合は、複数の白色光源６１、複数の青色光源６２及び複数の橙色光源１１１を示す。
【００９６】
複数の橙色光源１１１は、配線基板１１２の長さ方向（左右方向）に沿って略等間隔に配列され、左右方向に１列に並んでいる。橙色光源１１１の各々は、橙色光を出射する。橙色光源１１１の各々は、拡散板５の下端面（一方の端面）から光が入射するように、その光軸Ｙが拡散板５と略平行となるように設けられている。本実施の形態では、第２発光モジュール１１０が筐体３内で、前側から後側に向かって下り傾斜するように、傾いた状態で固定されている。
【００９７】
なお、複数の橙色光源１１１は、第１発光モジュール６に設けてもよい。複数の橙色光源１１１も、第１発光モジュール６に光源の光軸Ｘが反射板４と拡散板５との間に挟まれる姿勢で配置されてもよい。つまり、複数の橙色光源１１１は、複数の白色光源６１及び複数の青色光源６２のように、拡散板５及び反射板４に向かって照射する姿勢で配置されればよい。つまり、第２発光モジュール１１０のようなエッジライト方式でなくてもよい。
【００９８】
なお、複数の白色光源６１及び複数の青色光源６２は、第２発光モジュール１１０に設けてもよい。複数の白色光源６１及び複数の青色光源６２も、複数の橙色光源１１１が拡散板５の下端面（一方の端面）から光を入射させるように、拡散板５と略平行となるように設けられていてもよい。
【００９９】
電源部１２０は、第２発光モジュール１１０を発光させるための電力を生成する電源回路によって構成され、直流電力を第２発光モジュール１１０に供給する。電源部１２０の構成は、実施の形態１の２つの電源部９１、９２と同様である。
【０１００】
このような照明装置１００では、第１発光モジュール６において、例えば、白色光源６１の出力を中程度にし、青色光源６２の出力を中程度よりも大きくさせる。また、第２発光モジュール１１０における橙色光源１１１の出力をゼロにする。この場合、拡散板５において、第１発光モジュール６側から明るい白色光が出射され、第１発光モジュール６から遠ざかるに従って次第に明るい青色光が出射される。つまり、拡散板５では、拡散板５の下側から上側に向かうに従って、白色光から次第に青色光に変化するグラデーションの光が出射され、透光板３５の遥か遠くに、実際の青空が広がっているように見える。
【０１０１】
また、このような照明装置１００では、第１発光モジュール６において、例えば、白色光源６１の出力を中程度にし、青色光源６２の出力を中程度よりも小さくする。また、第２発光モジュール１１０における橙色光源１１１の出力をゼロにする。この場合、拡散板５において、第１発光モジュール６側から明るい白色光が出射され、第１発光モジュール６から遠ざかるに従って次第に暗い白色光が出射される。つまり、拡散板５では、拡散板５の下側から上側に向かうに従って、次第に暗くなる（輝度が低下する）ように変化するグラデーションの光が出射され、透光板３５の遥か遠くに、実際の曇り空が広がっているように見える。
【０１０２】
さらに、このような照明装置１００では、例えば、第２発光モジュール１１０における橙色光源１１１の出力を中程度にし、第１発光モジュール６における白色光源６１及び青色光源６２の出力を中程度よりも小さくする。この場合、拡散板５において、第２発光モジュール１１０側から明るい橙色光が出射され、第２発光モジュール１１０から遠ざかるに従って次第に暗くなる青色光が出射される。つまり、拡散板５では、拡散板５の下側から上側に向かうに従って、橙色光から次第に青色光に変化し、明るさにおいても次第に暗くなるように変化するグラデーションの光が出射され、透光板３５の遥か遠くに、実際の夕焼けが広がっているように見える。
【０１０３】
また、このような照明装置１００では、第１発光モジュール６において、例えば、白色光源６１の出力をゼロにさせ又はほぼゼロにさせ、青色光源６２の出力を中程度よりも小さくする。また、第２発光モジュール１１０における橙色光源１１１の出力をゼロ又はほぼゼロにする。この場合、拡散板５において、第１発光モジュール６側から暗い青色光が出射され、第１発光モジュール６から遠ざかるに従ってほとんど光が出射されない。つまり、拡散板５では、拡散板５の下側から上側に向かうに従って、次第に暗くなる（輝度が低下）ように変化するグラデーションの光が出射され、透光板３５の遥か遠くは夜の状態となり、実際の宵の状態が広がっているように見える。
【０１０４】
このように、この照明装置１００を用いて、白色光源６１、青色光源６２及び橙色光源１１１を制御すれば、青空、曇り空、夕焼け、宵等の様々な空の様子を再現し得る。
【０１０５】
［作用効果］
次に、本実施の形態における照明装置１００の作用効果について説明する。
【０１０６】
上述したように、本実施の形態に係る照明装置１００において、光源は、さらに、橙色光を出射する橙色光源１１１を有する。
【０１０７】
この構成によれば、拡散板５に夕焼けの状態も疑似的に再現することができる。特に、白色光源６１及び青色光源６２も組み合わせることで、青空、曇り空、夕焼け、宵等の様々な空の様子を再現することができる。
【０１０８】
本実施の形態における他の作用効果についても、実施の形態１と同様の作用効果を奏する。
【０１０９】
（その他変形例等）
以上、本発明に係る照明装置について、実施の形態１、２に基づいて説明したが、本発明は、上記実施の形態１、２に限定されるものではない。
【０１１０】
図７は、図１のＩＩ−ＩＩ線における変形例に係る照明装置１を示す部分断面図である。例えば、上記実施の形態において、図７に示すように、第１発光モジュールは、複数の白色光源、複数の青色光源及び複数の橙色光源を有していてもよい。第１発光モジュールは、拡散板よりも前方かつ本体部の下端側に設けられ、光源（複数の白色光源、複数の青色光源及び複数の橙色光源）の光軸Ｚが拡散板の下方側及び反射板の下方側に向くように設けられていてもよい。図７の様に光源の光軸Ｚは、拡散板及び反射板の並び順に向いていてもよい。つまり、第１発光モジュールは、拡散板及び反射板の下方に設けられ、拡散板及び反射板に向かって照射する姿勢で配置されていればよい。ここでは、拡散板の下縁側が入射面となる。この構成においても、青空、曇り空、夕焼け、宵等の様々な空の様子を再現することができる。
【０１１１】
また、上記実施の形態において、拡散板は反射板に向かって傾いているが、反射板が拡散板に向かって傾いた状態でもよい。また、拡散板及び反射板は、平板状であってもよく、湾曲状であってもよい。つまり、拡散板と反射板との間隔は、一方から他方に向かうにつれて次第に狭まっていればよい。
【０１１２】
また、上記実施の形態では、拡散板５と反射板４との間から白色光源６１及び青色光源６２からの光が漏れないように、拡散板５の上端側（一方の端部）は、反射板４の上端側と当接（接触）していてもよい。
【０１１３】
また、上記実施の形態では、制御部は、タイマー機能を有していてもよい。また、制御部は、例えば、所定の時刻になれば（所定の時間を経過すれば）、タイマー機能を用いて、青空、夕焼け空、曇り空、宵の空等を切替える点灯モードを有していてもよい。具体的には、例えば、点灯モードにより、擬似的な青空を再現する光を出射した後に、所定の時間を経過すれば、夕焼け空を再現する光を出射し、宵の空等を再現する光を出射するように切替えてもよい。さらに、所定の時間が経過すると、自動的に消灯してもよい。この場合、タイマー機能と点灯モードとにより、所定の時刻に成れば採光が変化するため、あたかも窓があるかのような採光環境を実現することができる。このような設定は、リモコン等の図示しない操作部を介して行ってもよい。
【０１１４】
また、上記実施の形態では、照明装置を正面視した場合（前側から見た場合）の形状は、長方形状であるが、この形状は長方形状に限定されない。例えば、円形状、三角形状等の多角形状、半月形状等であってもよく、これらの形状を組み合わせた形状であってもよい。
【０１１５】
また、上記実施の形態では、拡散板は、反射板に対して所定の角度を可変させるように可動してもよい。つまり、所定の角度が大きくなる場合は、拡散板の下端側は前側に向かって進むとともに、拡散板の上端側は反射板に対して下がる。一方、所定の角度が小さくなる場合は、拡散板の下端側は後側に向かって進むとともに、拡散板の上端側は反射板に対して上がる。この場合、照明装置の載置場所に合わせて、適宜、拡散板と反射板とにおける所定の角度を変えることができる。拡散板の稼働は、モータ等の駆動機構を用いて実現することができる。
【０１１６】
また、上記実施の形態では、光源を覆う拡散カバー（直管型のＬＥＤランプ）が設けられていてもよい。この場合、複数のＬＥＤチップを単に並べて出射する場合に比べ、光源に近接している拡散板に輝度ムラや色ムラ等が生じ難い。
【０１１７】
また、上記実施の形態では、光吸収シートは、筐体内における下面、右側側面及び左側側面に、光の反射を抑制する黒色となっていてもよく、光吸収シートが設けられていてもよい。
【０１１８】
また、上記実施の形態において、発光装置には操作部が電気的に接続されているが、無線通信を行うリモコンにより発光装置を操作（電源のオン、オフ等の操作）することができてもよい。無線通信は、リモコンと無線通信を行う通信部を発光装置に設けることにより実現する。通信部は、例えば、ＺｉｇＢｅｅ（登録商標）、Ｗｉ−Ｆｉ（登録商標）、Ｂｌｕｅｔｏｏｔｈ（登録商標）などの近距離無線機能を有する装置である。
【０１１９】
その他、実施の形態１、２に対して当業者が思いつく各種変形を施して得られる形態や、本発明の趣旨を逸脱しない範囲で実施の形態１、２における構成要素及び機能を任意に組み合わせることで実現される形態も本発明に含まれる。
【符号の説明】
【０１２０】
１  照明装置
４  反射板（鏡）
５  拡散板（レイリー拡散板）
７  庇部
３２  枠体部
３３  開口部
３５  透光板
３６  光吸収シート（反射防止膜）
６１  白色光源（光源）
６２  青色光源（光源）
１１１  橙色光源
【図１】
2018010755.tif 000003
【図２】
2018010755.tif 000004
【図３】
2018010755.tif 000005
【図４】
2018010755.tif 000006
【図５】
2018010755.tif 000007
【図６】
2018010755.tif 000008
【図７】
2018010755.tif 000009